(57)【要約】【課題】使い勝手のよい画像管理システムおよび画像管理装置を提供する。【解決手段】画像管理システムは、複数の撮像装置と、複数の撮像装置により撮影された画像データを管理する画像管理装置と、画像管理装置から画像データを受信する電子機器とを有する画像管理システムであって、複数の撮像装置は、所定の敷地内で撮影された画像データを画像管理装置に送信する撮影画像送信部を有し、画像管理装置は、撮影画像送信部により送信された複数の画像データから、電子機器により指定された所定の人物が写り込んでいる画像データを検索する画像検索部と、画像検索部により検索された画像データを所定の人物に対応する電子機器に送信する検索画像送信部とを有する。【選択図】図１
2015015570.tif 000002
【特許請求の範囲】
【請求項１】
複数の撮像装置と、前記複数の撮像装置により撮影された画像データを管理する画像管理装置と、前記画像管理装置から前記画像データを受信する電子機器とを有する画像管理システムであって、
前記複数の撮像装置は、所定の敷地内で撮影された前記画像データを前記画像管理装置に送信する撮影画像送信部を有し、
前記画像管理装置は、前記撮影画像送信部により送信された複数の前記画像データから、前記電子機器により指定された所定の人物が写り込んでいる前記画像データを検索する画像検索部と、前記画像検索部により検索された前記画像データを前記所定の人物に対応する前記電子機器に送信する検索画像送信部とを有することを特徴とする画像管理システム。
【請求項２】
請求項１に記載の画像管理システムにおいて、
前記複数の撮像装置は、それぞれ異なる人物により操作される複数の可搬型撮像装置を含むことを特徴とする画像管理システム。
【請求項３】
請求項１または２に記載の画像管理システムにおいて、
前記撮影画像送信部は、前記所定の敷地内で撮影された前記画像データと共に、当該画像データの撮影位置情報と、当該画像データの撮影時刻情報とを前記画像管理装置に送信し、
前記画像検索部は、前記撮影画像送信部により送信された前記複数の画像データの各々について、当該画像データに対応する前記撮影位置情報と、当該画像データに対応する前記撮影時刻情報と、前記所定の敷地内における前記所定の人物の移動軌跡情報とを照合することにより、前記所定の人物が写り込んでいる画像データを検索することを特徴とする画像管理システム。
【請求項４】
請求項１または２に記載の画像管理システムにおいて、
前記画像検索部は、前記撮影画像送信部により送信された前記複数の画像データの各々に対して顔認識処理を実行することにより、前記所定の人物が写り込んでいる画像データを検索することを特徴とする画像管理システム。
【請求項５】
請求項１〜４のいずれか一項に記載の画像管理システムにおいて、
前記画像管理装置は、前記複数の撮像装置の各々について、当該撮像装置から受信した前記画像データに応じた評価値を決定して当該撮像装置を操作する人物に付与する評価部を有することを特徴とする画像管理システム。
【請求項６】
請求項１〜５のいずれか一項に記載の画像管理システムにおいて、
前記複数の撮像装置は、予め所定の位置に固定的に設置される固定型撮像装置を含むことを特徴とする画像管理システム。
【請求項７】
所定の敷地内に存在する複数の撮像装置の各々から、前記敷地内で撮影された画像データを受信する受信部と、
前記受信部により受信された複数の前記画像データを記憶する画像記憶部と、
前記画像記憶部により記憶された前記複数の画像データから、所定の人物が写り込んでいる画像データを検索する画像検索部と、
前記画像検索部により検索された画像データを、前記所定の人物に対応する所定の電子機器に送信する送信部と、
を備えることを特徴とする画像管理装置。
【請求項８】
複数の撮像装置により撮影された画像データを管理し、前記画像データを電子機器に送信する画像管理装置において実行される画像管理プログラムであって、
所定の敷地内で撮影された複数の前記画像データを、前記複数の撮像装置から受信するステップと、
前記複数の画像データから、予め設定された所定の人物が写り込んでいる前記画像データを検索するステップと、
検索された前記画像データを前記所定の人物に対応する前記電子機器に送信するステップと、
を有することを特徴とする画像管理プログラム。
【発明の詳細な説明】
【技術分野】
【０００１】
本発明は、画像管理システム、画像管理装置および画像管理プログラムに関する。
【背景技術】
【０００２】
従来、ユーザがカメラの位置及び自分の位置を把握可能な携帯端末装置を用いて、テーマパーク及び遊園地の乗り物あるいは乗り物付近に設置されたカメラにより、乗り物に乗車しているユーザ自身を任意のタイミングで撮影する技術が知られている（特許文献１）。
【先行技術文献】
【特許文献】
【０００３】
【特許文献１】特開２００８−１３５９９３号公報
【発明の概要】
【発明が解決しようとする課題】
【０００４】
従来技術には、撮影動作自体をユーザ自身により制御する必要があり、操作が煩雑であるという問題があった。
【課題を解決するための手段】
【０００５】
請求項１に記載の画像管理システムは、複数の撮像装置と、前記複数の撮像装置により撮影された画像データを管理する画像管理装置と、前記画像管理装置から前記画像データを受信する電子機器とを有する画像管理システムであって、前記複数の撮像装置は、所定の敷地内で撮影された前記画像データを前記画像管理装置に送信する撮影画像送信部を有し、前記画像管理装置は、前記撮影画像送信部により送信された複数の前記画像データから、前記電子機器により指定された所定の人物が写り込んでいる前記画像データを検索する画像検索部と、前記画像検索部により検索された前記画像データを前記所定の人物に対応する前記電子機器に送信する検索画像送信部とを有することを特徴とする。
請求項７に記載の画像管理装置は、所定の敷地内に存在する複数の撮像装置の各々から、前記敷地内で撮影された画像データを受信する受信部と、前記受信部により受信された複数の前記画像データを記憶する画像記憶部と、前記画像記憶部により記憶された前記複数の画像データから、所定の人物が写り込んでいる画像データを検索する画像検索部と、前記画像検索部により検索された画像データを、前記所定の人物に対応する所定の電子機器に送信する送信部と、を備えることを特徴とする。
請求項８に記載の画像管理プログラムは、複数の撮像装置により撮影された画像データを管理し、前記画像データを電子機器に送信する画像管理装置において実行される画像管理プログラムであって、所定の敷地内で撮影された複数の前記画像データを、前記複数の撮像装置から受信するステップと、前記複数の画像データから、予め設定された所定の人物が写り込んでいる前記画像データを検索するステップと、検索された前記画像データを前記所定の人物に対応する前記電子機器に送信するステップと、を有することを特徴とする。
【発明の効果】
【０００６】
本発明によれば、使い勝手のよい画像管理システムおよび画像管理装置を提供することができる。
【図面の簡単な説明】
【０００７】
【図１】本発明の第１の実施の形態に係る画像管理システムの構成を模式的に示す図である。
【図２】カメラ４０の構成を例示するブロック図である。
【図３】携帯端末８０の構成を示すブロック図である。
【図４】画像管理装置２０の構成を示すブロック図である。
【図５】データベースのデータ構造を示す図である。
【図６】制御部２２が実行する画像取得処理のフローチャートである。
【図７】仮想的な地表面に移動軌跡データ１１４と撮影位置１２５と撮影方向１２６とをプロットした図である。
【図８】本発明の第２の実施の形態に係る画像管理システムの構成を模式的に示す図である。
【図９】固定カメラ９０の構成を示すブロック図である。
【発明を実施するための形態】
【０００８】
（第１の実施の形態）
図１は、本発明の第１の実施の形態に係る画像管理システムの構成を模式的に示す図である。本実施形態の画像管理システム１は、テーマパーク１０において撮影される画像を共有するシステムであり、画像管理装置２０と、画像管理装置２０に接続された複数の無線中継器３０とから構成される。
【０００９】
画像管理装置２０は、テーマパーク１０において撮影される画像を管理する装置である。なお、図１では、画像管理装置２０をテーマパーク１０の敷地外に設置しているが、テーマパーク１０の敷地内に設置してもよい。テーマパーク１０の敷地内には、複数の無線中継器３０が設けられている。無線中継器３０はそれぞれ無線信号の授受を行うためのアンテナを有している。画像管理装置２０は、後述する複数のカメラ４０と、無線中継器３０を介したデータ通信を行うことができる。
【００１０】
以下の説明において、テーマパーク１０に入場し、テーマパーク１０が提供するサービスを受ける者を、入場者５０と称する。テーマパーク１０内には、複数の入場者５０が存在する。入場者５０は、カメラ４０を所持してテーマパーク１０に入場し、テーマパーク１０内で写真を撮影することができる。カメラ４０を所持していない入場者５０の中には、携帯端末８０を所持している者が存在する。つまりテーマパーク１０内には、（１）カメラ４０を所持する入場者５０ａ、（２）携帯端末８０を所持する入場者５０ｂ、（３）カメラ４０も携帯端末８０も所持していない入場者５０ｃ、の３通りの入場者５０が存在する。（１）カメラ４０を所持する入場者５０ａのうち、後述する撮影者登録を行った入場者５０ａを、撮影者と称する。また、（２）携帯端末８０を所持する入場者５０ｂのうち、後述する画像利用者登録を行った入場者５０ｂを、画像利用者と称する。
【００１１】
画像管理装置２０は、ネットワーク６０に接続されており、同じネットワーク６０に接続されている情報端末７０と双方向のデータ通信を行うことができる。情報端末７０は、例えば入場者５０の自宅に設置されたパソコンや、街頭に設置されたキオスク端末等である。
【００１２】
（カメラ４０の説明）
図２は、カメラ４０の構成を例示するブロック図である。カメラ４０は、レンズ一体型のいわゆるコンパクトタイプのデジタルカメラである。カメラ４０は、撮影光学系４１、撮像素子４２、制御部４３、液晶モニタ４４、メモリカード４５、操作部４６、フラッシュメモリ４７、通信部４８、位置検出部４９ａ、および姿勢検出部４９ｂを備える。
【００１３】
撮影光学系４１は、撮像素子４２の撮像面に被写体像を結像させる。なお図１では、撮影光学系４１を１枚のレンズとして図示しているが、撮影光学系４１を複数のレンズにより構成してもよい。撮像素子４２は例えばＣＭＯＳやＣＣＤ等の撮像素子であり、撮影光学系４１により結像された被写体像を撮像して撮像信号を出力する。制御部４３は、カメラ４０の各部を制御する電子回路であり、ＣＰＵとその周辺回路とから構成される。不揮発性の記憶媒体であるフラッシュメモリ４７には、予め所定の制御プログラムが書き込まれている。制御部４３は、フラッシュメモリ４７から制御プログラムを読み込んで実行することにより、各部の制御を行う。フラッシュメモリ４７には更に、個々のカメラ４０に一意なカメラＩＤが書き込まれている。
【００１４】
液晶モニタ４４は、液晶パネルを利用した表示装置である。制御部４３は、撮像素子４２から出力された撮像信号に種々の画像処理を施して撮影画像データを作成し、液晶モニタ４４に表示したり、可搬性の記憶媒体であるメモリカード４５に格納したりする。操作部４６は、プッシュボタン等の種々の操作部材を有し、それら操作部材が操作されたことに応じて制御部４３に操作信号を出力する。制御部４３は、操作信号に応じて撮影を行ったり、液晶モニタ４４の表示内容を変化させたりする。
【００１５】
通信部４８は、例えば無線信号の授受を行うためのアンテナ（不図示）等を有し、無線中継器３０との無線通信を行う。位置検出部４９ａは、例えば複数の人工衛星からの無線信号を受信することにより、カメラ４０の現在位置を検出する。姿勢検出部４９ｂは、例えば三軸の加速度センサ等により構成され、カメラ４０の姿勢（向き）を検出する。
【００１６】
なお、以上に説明したカメラ４０の構成は一例である。本実施形態におけるカメラ４０は、多数の入場者５０がそれぞれ所持するものであり、図２に図示したものとは異なる構成のものを含む。
【００１７】
（携帯端末８０の説明）
図３は、携帯端末８０の構成を示すブロック図である。携帯端末８０は、可搬性の電子機器であり、制御部８１、メモリカード８２、操作部８３、フラッシュメモリ８４、通信部８５、および位置検出部８６を備える。制御部８１は、携帯端末８０の各部を制御する電子回路であり、ＣＰＵとその周辺回路とから構成される。不揮発性の記憶媒体であるフラッシュメモリ８４には、予め所定の制御プログラムが書き込まれている。制御部８１は、フラッシュメモリ８４から制御プログラムを読み込んで実行することにより、各部の制御を行う。メモリカード８２は、可搬性の記録媒体である。位置検出部８６は、例えば複数の人工衛星からの無線信号を受信することにより、携帯端末８０の現在位置を検出する。
【００１８】
（画像管理装置２０の説明）
図４は、画像管理装置２０の構成を示すブロック図である。画像管理装置２０は、通信部２１、制御部２２、ＲＯＭ２３、撮影者データベース１００、画像利用者データベース１１０、および画像データベース１２０を備える。
【００１９】
通信部２１は、複数の無線中継器３０およびネットワーク６０を介したデータ通信を行う。制御部２２は、画像管理装置２０の各部を制御する電子回路であり、ＣＰＵとその周辺回路とから構成される。不揮発性の記憶媒体であるＲＯＭ２３には、予め所定の制御プログラムが書き込まれている。制御部２２は、ＲＯＭ２３から制御プログラムを読み込んで実行することにより、各部の制御を行う。
【００２０】
図５（ａ）は、撮影者データベース１００のデータ構造を示す図である。撮影者データベース１００は、撮影者に関する種々の情報を管理するデータベースである。撮影者データベース１００の１行（１レコード）は、１人の撮影者に対応する。撮影者データベース１００には、撮影者ＩＤ１０１およびカメラＩＤ１０２が互いに関連付けて格納される。撮影者ＩＤ１０１は、撮影者毎に一意な識別子である。カメラＩＤ１０２は、当該撮影者が所持するカメラ４０のフラッシュメモリ４７に格納されているカメラＩＤである。
【００２１】
図５（ｂ）は、画像利用者データベース１１０のデータ構造を示す図である。画像利用者データベース１１０は、画像利用者に関する種々の情報を管理するデータベースである。画像利用者データベース１１０の１行（１レコード）は、１人の画像利用者に対応する。画像利用者データベース１１０には、画像利用者ＩＤ１１１、認証情報１１２、顔情報１１３、および移動軌跡データ１１４が互いに関連付けて格納される。
【００２２】
画像利用者ＩＤ１１１は、画像利用者毎に一意な識別子である。認証情報１１２は、画像利用者を認証するための情報であり、例えば一対のユーザー名とパスワードとを含む。顔情報１１３は、例えば周知の顔認識処理などにより作成される、当該画像利用者の相貌に関する情報である。顔情報１１３は、当該画像利用者が写り込んた撮影画像を検索するために利用される。移動軌跡データ１１４は、携帯端末８０の位置検出部８６により検出された現在位置と、当該現在位置が検出された時刻と、の組を時系列順に複数含んだデータである。
【００２３】
図５（ｃ）は、画像データベース１２０のデータ構造を示す図である。画像データベース１２０は、撮影者が所持するカメラ４０から送信された撮影画像を管理するデータベースである。画像データベース１２０の１行（１レコード）は、１つの撮影画像に対応する。画像データベース１２０には、撮影日時１２１、カメラＩＤ１２２、画像データ１２３、顔情報１２４、撮影位置１２５、および撮影方向１２６が互いに関連付けて格納される。
【００２４】
撮影日時１２１は、当該撮影画像が撮影された日時を示す情報である。カメラＩＤ１２２は、当該撮影画像の撮影に利用されたカメラ４０のフラッシュメモリ４７に格納されているカメラＩＤである。画像データ１２３は、当該撮影画像の画像データである。顔情報１２４は、当該撮影画像から周知の顔認識処理により作成された、当該撮影画像に含まれる顔の相貌に関する情報である。撮影位置１２５は、当該撮影画像の撮影時に、カメラ４０の位置検出部４９ａにより検出されたカメラ４０の位置（撮影位置）である。撮影方向１２６は、当該撮影画像の撮影時に、カメラ４０の姿勢検出部４９ｂにより検出されたカメラ４０の向き（撮影方向）である。
【００２５】
（画像管理システムの利用手順の説明）
以下、本実施形態に係る画像管理システムの利用手順について説明する。
【００２６】
１．撮影者登録
入場者５０は、テーマパーク１０への入場前（例えば入場チケットの予約や購入を行うとき）または入場時に、画像管理装置２０へ撮影者登録を行うことができる。撮影者登録は任意であり、撮影者登録を行わなくてもテーマパーク１０に入場して種々のサービスを受けることは可能である。撮影者登録を行う入場者５０は、自身がテーマパーク１０内で撮影した画像が他の入場者に提供されることがあることに同意しなければならない。撮影者登録を行った入場者５０（撮影者）がテーマパーク１０内でカメラ４０による撮影を行うと、カメラ４０から画像管理装置２０へ、無線中継器３０を介した無線通信により撮影画像が送信される。
【００２７】
入場者５０は、撮影者登録において、例えば情報端末７０等を用いて、画像管理装置２０にカメラＩＤ１０２を入力する。画像管理装置２０は、情報端末７０からカメラＩＤ１０２が入力されると、当該入場者５０に一意な撮影者ＩＤ１０１を割り当てると共に、入力されたカメラＩＤ１０２を当該撮影者ＩＤ１０１に関連付けて撮影者データベース１００に格納する。
【００２８】
２．画像利用者登録
入場者５０は、テーマパーク１０への入場前（例えば入場チケットの予約や購入を行うとき）または入場時に、画像管理装置２０へ画像利用者登録を行うことができる。画像利用者登録を行った入場者５０（画像利用者）は、例えば情報端末７０等を用いて、撮影者によりテーマパーク１０内で撮影された撮影画像のうち、自身が写り込んでいる撮影画像を画像管理装置２０から取得することができる。
【００２９】
画像利用者登録を行う入場者５０は、例えば情報端末７０等を用いて、画像管理装置２０に認証情報１１２および顔情報１１３を入力する。画像管理装置２０は、入場者５０からこれらの情報が入力されると、当該入場者５０に一意な画像利用者ＩＤ１１１を割り当てると共に、入力された情報を当該画像利用者ＩＤ１１１に関連付けて画像利用者データベース１１０に格納する。このとき、移動軌跡データ１１４は何も記録されず、空の状態に設定される。
【００３０】
３．入場
撮影者は、カメラ４０を所持してテーマパーク１０に入場する。また、画像利用者は、携帯端末８０を所持してテーマパーク１０に入場する。なお、撮影者や画像利用者がテーマパーク１０内で所持するカメラ４０および携帯端末８０は、撮影者や画像利用者が所有するものであってもよいし、テーマパーク１０の運営者等から貸与されたものであってもよい。
【００３１】
撮影者がテーマパーク１０内で撮影を行うと、カメラ４０は撮影した画像データをメモリカード４５に記録すると共に、通信部４８を介したデータ通信により、当該画像データを画像管理装置２０に送信する。メモリカード４５に記録され画像管理装置２０に送信される画像データには、当該画像データに関するメタデータが付加されている。メタデータには、例えば撮影日時や撮影に用いられたカメラ４０のカメラＩＤ、位置検出部４９ａにより撮影時に検出されたカメラ４０の位置（撮影位置）、および姿勢検出部４９ｂにより撮影時に検出されたカメラ４０の向き（撮影方向）が含まれる。
【００３２】
画像管理装置２０は、画像データおよびメタデータを受信すると、当該画像データに対して周知の顔認識処理を実行する。顔認識処理により、画像管理装置２０は、当該画像データに含まれる顔の相貌に関する顔情報を検出する。その後、画像管理装置２０は、検出した顔情報と、受信した画像データおよびメタデータとを互いに関連付けて、画像データベース１２０に格納する。撮影日時１２１、カメラＩＤ１２２、撮影位置１２５、および撮影方向１２６にはメタデータ内の同データが格納され、画像データ１２３には受信した画像データそのものが、顔情報１２４には検出した顔情報がそれぞれ格納される。
【００３３】
画像利用者がテーマパーク１０内を移動しているとき、携帯端末８０は位置検出部８６により現在位置を周期的に検出してメモリカード８２に記録する。これにより、画像利用者の移動軌跡データがメモリカード８２に記録される。
【００３４】
４．退場
カメラ４０や携帯端末８０の貸与を受けた撮影者および画像利用者は、テーマパーク１０から退場する際に、貸与されたカメラ４０や携帯端末８０をテーマパーク１０の運営者等に返却する。
【００３５】
画像利用者は、テーマパーク１０から退場する際に、携帯端末８０のメモリカード８２に記録された移動軌跡データを画像管理装置２０に入力する。例えば、テーマパーク１０からの退場時に、テーマパーク１０のスタッフへ携帯端末８０をいったん預け、スタッフが受領した携帯端末８０から専用の端末などを用いて当該携帯端末８０内の移動軌跡データを画像管理装置２０に入力する。このとき、移動軌跡データと共に、当該携帯端末８０を所持していた画像利用者の画像利用者ＩＤ１１１が画像管理装置２０に入力される。画像管理装置２０の制御部２２は、入力された移動軌跡データ１１４を、入力された画像利用者ＩＤ１１１に関連付けて画像利用者データベース１１０に格納する。
【００３６】
５．画像取得
画像利用者は、テーマパーク１０からの退場後、例えば自宅のパソコンや街頭のキオスク端末等である情報端末７０を用いて、画像データベース１２０から撮影者により撮影された画像データ１２３を取得することができる。以下、画像データ１２３の取得手順について説明する。
【００３７】
図６は、制御部２２が実行する画像取得処理のフローチャートである。この処理は制御部２２がＲＯＭ２３から読み込んで実行する制御プログラムに含まれる。
【００３８】
まずステップＳ１００において、制御部２２は、画像利用者が例えば情報端末７０などにより入力した認証情報と、画像利用者データベース１１０の認証情報１１２とに基づき画像利用者の認証を行う。例えば、入力された認証情報を画像利用者データベース１１０から検索し、一致する認証情報１１２を有するレコードを検索する。これにより、当該画像利用者の画像利用者ＩＤ１１１、顔情報１１３、および移動軌跡データ１１４が特定される。なお、入力された認証情報が画像利用者データベース１１０から見つからなかった場合、すなわち認証に失敗した場合には、画像利用者にその旨を報知して図６の処理を終了する。
【００３９】
ステップＳ１２０で制御部２２は、特定した顔情報１１３を用いて、画像データベース１２０から当該画像利用者が写り込んでいる画像データ１２３を検索する。具体的には、特定した顔情報１１３と合致する顔情報１２４を含むレコードを画像データベース１２０から検索し、そのレコードから画像データ１２３を取り出す。
【００４０】
続くステップＳ１３０において制御部２２は、特定した移動軌跡データ１１４に基づき、画像データベース１２０から当該画像利用者が写り込んでいる画像データ１２３を検索する。具体的な検索方法については後に詳述する。
【００４１】
ここで、特定した顔情報１１３による画像検索に加えて、特定した移動軌跡データ１１４による画像検索を行うのは、顔認識の失敗に対処するためである。例えば光の当たり具合や顔の向き等により、特定した顔情報１１３と画像データベース１２０内の顔情報１２４との比較に失敗することもあるので、移動軌跡データ１１４を用いた画像検索により、そのような画像データも検索から漏れないようにしている。
【００４２】
ステップＳ１４０で制御部２２は、ステップＳ１２０およびステップＳ１３０で実行した画像検索により抽出された各画像データ１２３を、情報端末７０の表示画面に一覧表示する。例えば、それらの画像データ１２３のサムネイル画像を情報端末７０の表示画面に一覧表示する。
【００４３】
画像利用者は情報端末７０において、一覧表示された画像データ１２３から、取得したい画像データ１２３の選択操作を行う。情報端末７０はこの選択操作に応じて、選択された画像データ１２３を要求する画像要求信号を画像管理装置２０に送信する。
【００４４】
ステップＳ１５０で制御部２２は、情報端末７０から送信された画像要求信号を受信する。そして、ステップＳ１６０において、画像要求信号に対応する画像データ１２３を情報端末７０に送信する。これにより、画像利用者は当該画像データ１２３を取得し、印刷等の種々の用途に利用することができる。
【００４５】
次に、移動軌跡データ１１４に基づく画像データ１２３の検索方法について説明する。
【００４６】
図７（ａ）および図７（ｂ）は、仮想的な地表面に移動軌跡データ１１４と撮影位置１２５と撮影方向１２６とをプロットした図である。以下、ある特定の日に記録された１つの移動軌跡データ１１４と、それと同一の日に撮影された１つの画像データ１２３に注目して説明する。
【００４７】
図７（ａ）中の点Ｐ１〜Ｐ６は、注目する移動軌跡データ１１４に含まれる点であり、点Ｐ１は１３：２９に、点Ｐ２は１３：３０に、点Ｐ３は１３：３１に、点Ｐ４は１３：３２に、点Ｐ５は１３：３３に、点Ｐ６は１３：３４に、それぞれ記録されている。つまり、図７（ａ）中に示す移動軌跡データ１１４は、画像利用者が図７（ａ）の左下から図７（ａ）の右上に向かって移動していることを示している。一方、注目する画像データ１２３の撮影位置１２５は、点Ｐ４の右下に位置する点Ｐ７であり、撮影方向１２６は図７（ａ）中に矢印１３１で示すように、点Ｐ４の方向である。
【００４８】
制御部２２は、撮影位置１２５および撮影方向１２６に基づいて、まず画像データ１２３の撮影範囲１３０を特定する。撮影範囲１３０は、画像データ１２３の画素数や撮影時の焦点距離等から特定することが可能である。例えば撮影範囲１３０の左右の広がりを、焦点距離が短いほど大きくする。また、撮影範囲１３０の奥行き方向の長さは、画素数が多いほど長くする。なお、撮影時の被写界深度やピント位置等を考慮して撮影範囲１３０を特定してもよい。例えば、被写界深度が浅い場合、ピント位置から一定範囲のみを撮影範囲１３０として考えてもよい。
【００４９】
撮影範囲１３０の特定後、制御部２２は、移動軌跡データ１１４に含まれる点Ｐ４がその撮影範囲１３０内に入っており、且つ、撮影範囲１３０内に入っている点Ｐ４の記録日時が、注目する画像データ１２３の撮影日時１２１に一致するので、画像利用者が当該画像データ１２３に写り込んでいると判定する。
【００５０】
なお、注目する移動軌跡データ１１４の記録日時と、注目する画像データ１２３の撮影日時１２１との比較において、両者が厳密に一致していなくても、制御部２２は両者が一致していると判定することがある。例えば、移動軌跡データ１１４の記録日時と撮影日時１２１との差が所定時間（例えば３秒）以内であれば、制御部２２は移動軌跡データ１１４の記録日時が撮影日時１２１と一致していると判定する。
【００５１】
また、移動軌跡データ１１４に含まれる点が撮影範囲１３０に含まれない場合であっても、図７（ｂ）に示すように、移動軌跡データ１１４に含まれる複数の点から外挿した移動軌跡１３２が撮影範囲１３０を横切っており、且つ、それら複数の点から推定される撮影範囲１３０内に立ち入った日時が注目する画像データ１２３の撮影日時１２１に一致する場合には、制御部２２は画像利用者が当該画像データ１２３に写り込んでいると判定する。
【００５２】
制御部２２は、図６に示す処理のステップＳ１３０において、以上に説明した移動軌跡データ１１４と撮影日時１２１、撮影位置１２５、および撮影方向１２６との比較を画像データベース１２０に含まれる各レコードに対し実行する。これにより、画像利用者が写り込んでいる画像データ１２３が抽出される。
【００５３】
上述した第１の実施の形態による画像管理システムによれば、次の作用効果が得られる。
（１）カメラ４０は、テーマパーク１０の敷地内で撮影された画像データを画像管理装置２０に送信する通信部４８を有する。画像管理装置２０の制御部２２は、通信部４８により送信された複数の画像データから、情報端末７０により指定された所定の人物が写り込んでいる画像データを検索し、検索された画像データを当該情報端末７０に送信する。このようにしたので、使い勝手のよい画像管理システムおよび画像管理装置を提供することができる。
【００５４】
（２）カメラ４０は、それぞれ異なる人物により操作される可搬型撮像装置である。このようにしたので、予めカメラが設置されていない場所にいた場合であっても、自身が写り込んでいる画像データを取得することができる。
【００５５】
（３）通信部４８は、テーマパーク１０の敷地内で撮影された画像データと共に、位置検出部４９ａにより検出された当該画像データの撮影位置１２５と当該画像データの撮影撮影日時１２１とを画像管理装置２０に送信する。画像管理装置２０の制御部２２は、通信部４８により送信された複数の画像データの各々について、当該画像データに対応する撮影位置１２５と、当該画像データに対応する撮影日時１２１と、テーマパーク１０の敷地内における特定の人物の移動軌跡データ１１４とを照合することにより、当該人物が写り込んでいる画像データを検索する。このようにしたので、人物が写り込んでいる画像データをより的確に検索することが可能となる。
【００５６】
（４）画像管理装置２０の制御部２２は、通信部４８により送信された複数の画像データの各々に対して顔認識処理を実行することにより、特定の人物が写り込んでいる画像データを検索する。このようにしたので、人物が写り込んでいる画像データをより的確に検索することが可能となる。
【００５７】
（第２の実施の形態）
図８は、本発明の第２の実施の形態に係る画像管理システムの構成を模式的に示す図である。以下、本実施形態の画像管理システム２について、第１の実施の形態に係る画像管理システム１との差異を中心に説明する。なお、以下の説明において、第１の実施の形態と同一の箇所には同一の符号を付して説明を省略する。
【００５８】
画像管理システム２は、画像管理装置２０と、画像管理装置２０に接続された複数の無線中継器３０とに加えて、更に複数の固定カメラ９０を備える。複数の固定カメラ９０は、それぞれテーマパーク１０内に予め設置され、画像管理装置２０の通信部２１に接続されている。
【００５９】
図９は、固定カメラ９０の構成を示すブロック図である。固定カメラ９０は、撮影光学系９１、撮像素子９２、制御部９３、フラッシュメモリ９４、通信部９５、およびマイクロホン９６を備える。撮影光学系９１、撮像素子９２、制御部９３、およびフラッシュメモリ９４は、それぞれカメラ４０の撮影光学系４１、撮像素子４２、制御部４３、およびフラッシュメモリ４７と同様の構成であり、説明を省略する。通信部９５は、画像管理装置２０とのデータ通信を行う。マイクロホン９６は、周囲の音声を音声信号に変換して制御部９３へ出力する。
【００６０】
固定カメラ９０の制御部９３は、所定周期（例えば３０分の１秒）ごとに撮像素子９２に繰り返し撮像を行わせ、画像データを作成する。そして、所定の送信条件（後述）が満たされたことを検知すると、最新の画像データを画像管理装置２０に送信する。画像管理装置２０は、カメラ４０からの画像データを受信した場合と同様に、固定カメラ９０から受信した画像データを画像データベース１２０に格納する。
【００６１】
カメラ４０は、撮影時に検出された撮影位置および撮影方向をメタデータとして画像データに付していた。一方、固定カメラ９０は、撮影位置および撮影方向が固定されている。従って、画像データに付される撮影位置および撮影方向は固定値になり、その値は固定カメラ９０の設置状態に対応する。
【００６２】
なお、撮影位置および撮影方向をメタデータとして画像データに付さなくてもよい。例えば、画像管理装置２０に固定カメラ９０毎の撮影位置および撮影方向の一覧を保持させておき、受信した画像データがどの固定カメラ９０により撮影されたものかを特定して上記の一覧と照らし合わせることで、当該画像データの撮影位置および撮影方向を特定してもよい。
【００６３】
次に、固定カメラ９０が画像データを送信する所定の送信条件について説明する。固定カメラ９０は、以下の（１）〜（５）の条件のいずれか少なくとも１つが満たされると、画像データを画像管理装置２０に送信する。
【００６４】
（１）任意の人物の全身が撮影画面に収まっているとき
固定カメラ９０の制御部９３は、画像データが作成されるたびに、パターンマッチング等による周知の人物検出処理を当該画像データに対して実行する。そして、画像データに少なくとも一人の人物の全身像が含まれる場合に、当該画像データを画像管理装置２０に送信する。
【００６５】
（２）被写体である人物が所定のハンドサインを行っているとき
固定カメラ９０の制御部９３は、画像データが作成されるたびに、パターンマッチング等により、画像データに所定のハンドサイン（例えばピースサイン等）が含まれているか否かを判定する。そして、画像データにハンドサインが含まれる場合に、当該画像データを画像管理装置２０に送信する。
【００６６】
（３）被写体である人物の表情が笑顔になっているとき
固定カメラ９０の制御部９３は、画像データが作成される度に、パターンマッチング等による周知の笑顔検出処理を当該画像データに対して実行する。そして、画像データに含まれる顔の少なくとも１つが笑顔である場合に、当該画像データを画像管理装置２０に送信する。
【００６７】
（４）マイクロホン９６から、所定の音声が入力されたとき
固定カメラ９０の制御部９３は、撮影と並行して、マイクロホン９６から出力される音声信号に対し、周知の音声認識処理を実行する。そして、所定の音声（例えば「撮影」などの語句）が認識された場合に、当該画像データを画像管理装置２０に送信する。
【００６８】
（５）前回送信時から所定時間が経過したとき
固定カメラ９０の制御部９３は、最後に画像管理装置２０へ画像データを送信してから経過した時間をカウントする。そして、所定時間（例えば１０秒）が経過していた場合に、当該画像データを画像管理装置２０に送信する。
【００６９】
上述した第２の実施の形態による画像管理システムによれば、次の作用効果が得られる。
【００７０】
（１）予め所定の位置に固定的に設置される固定型撮像装置である固定カメラ９０を設けた。このようにしたので、撮影者のいないエリアであっても、画像利用者の画像データを確実に確保することができる。
【００７１】
次のような変形も本発明の範囲内であり、変形例の一つ、もしくは複数を上述の実施形態と組み合わせることも可能である。
【００７２】
（変形例１）
一人の入場者５０が、撮影者と画像利用者とを兼ねることもできる。そのような入場者５０は、カメラ４０により撮影した画像データを画像管理装置２０に提供しつつ、他の撮影者により提供された画像データを画像管理装置２０から取得する。
【００７３】
（変形例２）
画像管理装置２０が撮影者に、撮影に対するインセンティブを与えてもよい。例えば、画像管理装置２０に提供する画像データの枚数分だけポイントを付与し、ポイントに応じた景品を贈与したり、ポイントに応じて入場料を割り引くようにしてもよい。ポイントの数値は、撮影者データベース１００に、撮影者ＩＤ１０１に関連付けて格納すればよい。また、画像データの枚数ではなく、画像利用者によって取得された画像データの枚数分だけポイントを付与するようにしてもよい。画像データベース１２０には、画像データ１２３に対し、当該画像データ１２３を撮影したカメラ４０のカメラＩＤ１２２が格納されているため、ある画像データ１２３を撮影した撮影者の撮影者ＩＤ１０１は容易に特定することが可能である。このようにすることで、撮影者から、より積極的に画像データの提供を受けることができる。
【００７４】
（変形例３）
画像管理装置２０が画像利用者に、画像利用者登録の対価（例えば所定の手数料等）を要求するようにしてもよい。また、画像利用者登録ではなく、撮影画像の取得に対価を要求してもよい。前述の変形例２と組み合わせて、画像利用者登録の対価を「撮影者として撮影画像を提供すること」としてもよい。この場合、入場者５０が自身の写り込んだ撮影画像を画像管理装置２０から得るためには、撮影者として他の入場者５０が写り込んだ撮影画像を画像管理装置２０に提供しなければならない。このようにすることで、撮影画像の提供と取得を促進させることができる。
【００７５】
（変形例４）
固定カメラ９０が、焦点距離の可変な撮影光学系９１（いわゆるズームレンズ）を有するものとしてもよい。固定カメラ９０は、例えば撮影画面に全身が入りきらない人物が存在する場合に、自動的にズームレンズを広角側に駆動する。
【００７６】
（変形例５）
固定カメラ９０は、必ずしも固定的に設置されていなくてもよい。例えば、車輪等によりテーマパーク１０内において自律走行する撮像装置としてもよい。
【００７７】
（変形例６）
画像利用者が、テーマパーク１０内で画像データを取得できるようにしてもよい。例えばテーマパーク１０内の店舗等に情報端末７０を設置したり、情報端末７０として機能するタブレット端末等を入場者５０に貸与してもよい。あるいは、上述した携帯端末８０が情報端末７０としても機能するようにしてもよい。このようにすることで、例えばテーマパーク１０内の店舗等において、待ち時間中に画像データの検索を行える等、システムの利便性が向上する。
【００７８】
本発明の特徴を損なわない限り、本発明は上記実施の形態に限定されるものではなく、本発明の技術的思想の範囲内で考えられるその他の形態についても、本発明の範囲内に含まれる。
【符号の説明】
【００７９】
１、２…画像管理システム、２０…画像管理装置、３０…無線中継器、４０…カメラ、６０…ネットワーク、７０…情報端末、８０…携帯端末
【図１】
2015015570.tif 000003
【図２】
2015015570.tif 000004
【図３】
2015015570.tif 000005
【図４】
2015015570.tif 000006
【図５】
2015015570.tif 000007
【図６】
2015015570.tif 000008
【図７】
2015015570.tif 000009
【図８】
2015015570.tif 000010
【図９】
2015015570.tif 000011